(57)【要約】【課題】プラスイオンとマイナスイオンの関係の状況について表示可能であるイオン状況表示装置を提供する。【解決手段】イオン状況表示装置１は、プラスイオン量及びマイナスイオン量を検知する９対のイオンセンサ２，２・・と、イオンセンサ２，２・・からプラスイオン量及びマイナスイオン量を受信する演算手段６と、演算手段６に接続された表示手段８と、を有しており、演算手段６は、プラスイオン量及びマイナスイオン量（イオン量データベース６２）を格納する格納手段５２を備えていると共に、プラスイオン量及びマイナスイオン量から、マイナスイオン量のプラスイオンに対する比率であるマイナスイオンリッチ比率を演算可能であり、表示手段８は、マイナスイオンリッチ比率を表示する。【選択図】図１
2018013451.tif 000002
【特許請求の範囲】
【請求項１】
プラスイオン量及びマイナスイオン量を検知するイオンセンサと、
前記イオンセンサから前記プラスイオン量及び前記マイナスイオン量を受信する演算手段と、
前記演算手段に接続された表示手段と、
を有しており、
前記演算手段は、前記プラスイオン量及び前記マイナスイオン量を格納する格納手段を備えていると共に、前記プラスイオン量及び前記マイナスイオン量から、イオン相関値を演算可能であり、
前記イオン相関値は、前記プラスイオン量と前記マイナスイオン量の差であるイオン差、及び前記プラスイオン量と前記マイナスイオン量の比率であるイオン比率、並びに、前記プラスイオン量の変化率であるプラスイオン量変化率、前記マイナスイオン量の変化率であるマイナスイオン量変化率、前記イオン差の変化率であるイオン差変化率、及び前記イオン比率の変化率であるイオン比率変化率、の少なくとも何れかであり、
前記表示手段は、前記プラスイオン量、前記マイナスイオン量、及び前記イオン相関値の少なくとも何れかを表示する
ことを特徴とするイオン状況表示装置。
【請求項２】
前記演算手段は、前記プラスイオン量、前記マイナスイオン量、及び前記イオン相関値の少なくとも何れかを、時刻情報と対応付けて複数格納手段に格納し、
前記表示手段は、前記プラスイオン量、前記マイナスイオン量、及び前記イオン相関値の少なくとも何れかを、前記時刻情報に基づいて時系列で表示する
ことを特徴とする請求項１に記載のイオン状況表示装置。
【請求項３】
前記表示手段は、前記プラスイオン量、前記マイナスイオン量、及び前記イオン相関値から成る群のうちの少なくとも何れか二つを、同時に又は切替えて表示する
ことを特徴とする請求項１又は請求項２の何れか１項に記載のイオン状況表示装置。
【請求項４】
前記イオンセンサは、複数配置されており、
前記表示手段は、複数の前記イオンセンサにおける前記プラスイオン量、前記マイナスイオン量、及び前記イオン相関値の少なくとも何れかを、同時に又は切替えて表示する
ことを特徴とする請求項１ないしは請求項３の何れか１項に記載のイオン状況表示装置。
【請求項５】
前記表示手段は、前記プラスイオン量、前記マイナスイオン量、及び前記イオン相関値の少なくとも何れかの大きさに対応付けられた色に色づけした状態で、前記プラスイオン量、前記マイナスイオン量、及び前記イオン相関値の少なくとも何れか、あるいはその周辺部を表示する
ことを特徴とする請求項１ないしは請求項４の何れか１項に記載のイオン状況表示装置。
【請求項６】
対象空間の一部又は全部の映像である対象空間映像を撮影するカメラを備えており、
前記イオンセンサは、前記対象空間又はその隣接箇所に設置されており、
前記表示手段は、前記対象空間映像を表示する
ことを特徴とする請求項１ないしは請求項５の何れか１項に記載のイオン状況表示装置。
【請求項７】
前記演算手段は、前記カメラと前記対象空間映像を受信可能に接続されていると共に、前記対象空間映像を、時刻情報と対応付けて複数格納手段に格納し、
前記表示手段は、前記対象空間映像を、前記時刻情報に基づいて時系列で表示する
ことを特徴とする請求項６に記載のイオン状況表示装置。
【発明の詳細な説明】
【技術分野】
【０００１】
本発明は、室内等の対象空間内におけるイオンの状況を表示するイオン状況表示装置に関する。
【背景技術】
【０００２】
マイナスイオンの人体に対する良好な影響が認知されており、単体であるいは空調機や空気清浄機に付属した状態で室内に設置するマイナスイオン発生装置が普及している。そのマイナスイオン発生装置の作動状況は、マイナスイオンが不可視で無臭であることから、そのままでは分かり難い。そこで、作動状況を報知するため、マイナスイオン発生装置にマイナスイオンセンサと表示部が付設され、マイナスイオンセンサで測定されたマイナスイオン量を表示部で表示するものが開発されている。しかし、マイナスイオンセンサや表示部がマイナスイオン発生装置に付設されているため、マイナスイオン発生装置付近のマイナスイオン量しか分からず、部屋全体のマイナスイオンの状況は不明である。
マイナスイオンの部屋全体における分布をシミュレーションして表示する装置として、下記特許文献１に記載のものが知られている。この装置では、予め、マイナスイオン発生装置の吹出口における風速及び風量を境界条件として、特定の大きさ及び形状の室内での流れ場を、不均等メッシュを用いた乱流モデルにて解析手段により算出しておき、更に、算出結果に基づき、マイナスイオン発生装置の吹出口を中央とする所定容積の空間内で算出に用いられた各不均等メッシュの空間座標及び風速を、空間を均等メッシュを用いて分割した場合の各メッシュの空間座標及び風速に置き換えてマイナスイオン発生装置に対応する初期条件として記憶しておき、任意の大きさ及び形状の部屋にマイナスイオン発生装置が設置された場合の部屋内の定常的な風速又は風圧の分布が、記憶した初期条件に基づき、層流モデルによりナビエストークスの方程式を用いて求められ、求められた分布及びマイナスイオン発生量に基づき、マイナスイオン発生装置から拡散されるマイナスイオンの部屋における定常状態での分布が求められ、その分布が表示される。
【先行技術文献】
【特許文献】
【０００３】
【特許文献１】特開２０１０−２４４１３３号公報
【発明の概要】
【発明が解決しようとする課題】
【０００４】
上記の装置では、定常状態における室内のマイナスイオンの分布状況のシミュレーション結果が表示されるものの、現在や過去の室内のマイナスイオンの状況が表示されるものではなく、マイナスイオンの部屋全体における実際の状況が把握できるものではない。又、マイナスイオンのみの状況が表示され、プラスイオンとの関係は判然としない。
そこで、本発明は、室内等の対象空間に広がるイオンの現在あるいは過去の実際の状況について表示可能であるイオン状況表示装置を提供することを第１の主な目的としたものである。
又、本発明は、プラスイオンとマイナスイオンの関係の状況について表示可能であるイオン状況表示装置を提供することを第２の主な目的としたものである。
【課題を解決するための手段】
【０００５】
上記目的を達成するために、請求項１に記載の発明は、プラスイオン量及びマイナスイオン量を検知するイオンセンサと、前記イオンセンサから前記プラスイオン量及び前記マイナスイオン量を受信する演算手段と、前記演算手段に接続された表示手段と、を有しており、前記演算手段は、前記プラスイオン量及び前記マイナスイオン量を格納する格納手段を備えていると共に、前記プラスイオン量及び前記マイナスイオン量から、イオン相関値を演算可能であり、前記イオン相関値は、前記プラスイオン量と前記マイナスイオン量の差であるイオン差、及び前記プラスイオン量と前記マイナスイオン量の比率であるイオン比率、並びに、前記プラスイオン量の変化率であるプラスイオン量変化率、前記マイナスイオン量の変化率であるマイナスイオン量変化率、前記イオン差の変化率であるイオン差変化率、及び前記イオン比率の変化率であるイオン比率変化率、の少なくとも何れかであり、前記表示手段は、前記プラスイオン量、前記マイナスイオン量、及び前記イオン相関値の少なくとも何れかを表示することを特徴とするものである。
請求項２に記載の発明は、上記発明にあって、前記演算手段は、前記プラスイオン量、前記マイナスイオン量、及び前記イオン相関値の少なくとも何れかを、時刻情報と対応付けて複数格納手段に格納し、前記表示手段は、前記プラスイオン量、前記マイナスイオン量、及び前記イオン相関値の少なくとも何れかを、前記時刻情報に基づいて時系列で表示することを特徴とするものである。
請求項３に記載の発明は、上記発明にあって、前記表示手段は、前記プラスイオン量、前記マイナスイオン量、及び前記イオン相関値から成る群のうちの少なくとも何れか二つを、同時に又は切替えて表示することを特徴とするものである。
請求項４に記載の発明は、上記発明にあって、前記イオンセンサは、複数配置されており、前記表示手段は、複数の前記イオンセンサにおける前記プラスイオン量、前記マイナスイオン量、及び前記イオン相関値の少なくとも何れかを、同時に又は切替えて表示することを特徴とするものである。
請求項５に記載の発明は、上記発明にあって、前記表示手段は、前記プラスイオン量、前記マイナスイオン量、及び前記イオン相関値の少なくとも何れかの大きさに対応付けられた色に色づけした状態で、前記プラスイオン量、前記マイナスイオン量、及び前記イオン相関値の少なくとも何れか、あるいはその周辺部を表示することを特徴とするものである。
請求項６に記載の発明は、上記発明にあって、対象空間の一部又は全部の映像である対象空間映像を撮影するカメラを備えており、前記イオンセンサは、前記対象空間又はその隣接箇所に設置されており、前記表示手段は、前記対象空間映像を表示することを特徴とするものである。
請求項７に記載の発明は、上記発明にあって、前記演算手段は、前記カメラと前記対象空間映像を受信可能に接続されていると共に、前記対象空間映像を、時刻情報と対応付けて複数格納手段に格納し、前記表示手段は、前記対象空間映像を、前記時刻情報に基づいて時系列で表示することを特徴とするものである。
【発明の効果】
【０００６】
本発明によれば、室内等の対象空間に広がるイオンの現在あるいは過去の実際の状況について表示可能であるイオン状況表示装置を提供したり、プラスイオンとマイナスイオンの関係の状況について表示可能であるイオン状況表示装置を提供したりすることができる。
【図面の簡単な説明】
【０００７】
【図１】本発明に係るイオン状況表示装置のブロック図である。
【図２】図１におけるイオンセンサの（ａ）模式図，（ｂ）（ａ）のＡ−Ａ断面図である。
【図３】図１における（ａ）イオン量データベース，（ｂ）受信映像データベースの模式図である。
【図４】図１の表示体が表示する（ａ）リアルタイム１ｃｈ画面，（ｂ）リアルタイム３ｃｈ画面の模式図である。
【図５】図１の表示体が表示する（ａ）リアルタイム６ｃｈ画面，（ｂ）リアルタイム９ｃｈ画面の模式図である。
【図６】図１の表示体が表示する（ａ）リアルタイム履歴画面，（ｂ）保存データ結果画面の模式図である。
【図７】本発明の変更例に係るリアルタイム履歴画面の模式図であって、（ａ）はイオン濃度ラベル及びイオン濃度カラーバーに関し、（ｂ），（ｃ）はイオン発生装置作動前（帯電前），作動後（帯電後）における時刻表示部ないしイオン状況表示部に関するものである。
【発明を実施するための形態】
【０００８】
以下、本発明に係る実施の形態の例やその変更例が、適宜図面に基づいて説明される。尚、当該形態は、下記の例に限定されない。
【０００９】
≪構成等≫
図１は本発明に係るイオン状況表示装置１のブロック図であって、イオン状況表示装置１は、複数のイオンセンサ２，２・・と、カメラ４と、演算手段６と、表示手段８と、操作入力手段９を有する。尚、イオンセンサ２は１個であっても良いし、カメラ４や演算手段６、表示手段８、入力手段９は複数設けられても良いし、カメラ４は省略されても良い。
【００１０】
図２にも示される各イオンセンサ２は、プラスイオン量又はマイナスイオン量を測定可能なセンサであり、筒型の検知部１０と、検知部１０に付設された処理部１２を備えている。
検知部１０は、前後が開放された円筒状のカバー２０と、カバー２０内に配置された二重円筒状の電極部２２と、ファン２４を備えている。
電極部２２は、前後が開放された円筒状の基準電極２６と、その外方に配置されており前後が開放された円筒状である反対電極２８を有する。尚、基準電極２６より内方の前後面や、反対電極２８より外方の前後面は、閉塞されていても良い。
処理部１２は、ＭＰＵ３０及び通信手段３２を備えており、電極部２２及びファン２４並びに図示されない電源と電気的に接続されている。ＭＰＵ３０は、基準電極２６や反対電極２８に印加する電圧や、ファン２４の動作（オンオフ）や、通信手段３２を制御し、基準電極２６における抵抗値を随時把握可能である。尚、ＭＰＵ３０は、ファン２４の風量を制御しても良い。
【００１１】
ＭＰＵ３０は、イオンセンサ２の電源投入（あるいは測定開始指令の入力）があると、ファン２４を作動させ、電極部２２（基準電極２６と反対電極２８の間）において前方から後方への空気の流れを発生させる。そして、ＭＰＵ３０は、基準電極２６と反対電極２８に所定の電圧を印加し、基準電極２６における抵抗値（の変化）を検出することにより、プラスイオン量やマイナスイオン量を測定する。
即ち、プラスイオン量（ここでは１ｍｌ（ミリリットル）当たりのプラスイオン数）を測定するイオンセンサ２において、ＭＰＵ３０は基準電極２６にマイナスの電圧を印加して反対電極２８にプラスの電圧を印加する。電極部２２を流れる空気内のプラスイオンは、反対電極２８に反発され、基準電極２６に収集されて基準電極２６の抵抗値を変化させる。この抵抗値あるいはその変化の量は、プラスイオンが多いほど大きく、抵抗値あるいはその変化の量とプラスイオンの量は相関関係にある。ＭＰＵ３０は、その相関関係をデータベース（関数でも良い）として記憶しており、把握した基準電極２６の抵抗値あるいはその変化の量をプラスイオン量に変換することで、プラスイオン量を測定可能である。尚、１ｍｌ＝１ｃｃ（図６（ｂ）参照）である。又、プラスイオン量は、所定時間（例えば１０秒間）当たりのプラスイオン数であっても良いし、瞬間的に検出されたプラスイオン数であっても良いし、プラス電荷量密度であっても良い。
又、マイナスイオン量を測定するイオンセンサ２は、ＭＰＵ３０が、基準電極２６にプラスの電圧を印加して反対電極２８にマイナスの電圧を印加することで、プラスイオン量を測定するイオンセンサ２と同様に、マイナスイオン量を測定可能である。
イオンセンサ２は、粒径が１ｎｍ（ナノメートル）のオーダーである小イオンや、粒径が数ｎｍ〜１０ｎｍのオーダーである中イオンや、十数ｎｍないし数十ｎｍ以上のオーダーである大イオンの何れのイオンも検知可能であって良いが、好ましくは、生態への影響が最も大きく視覚的に捉えることができない小イオンを検知対象とする。
尚、各イオンセンサ２は抵抗値を送信し、演算手段６が受信したその抵抗値を用いてイオン量を演算するようにしても良い。
【００１２】
イオンセンサ２，２・・は、プラスイオン量を測定する１個のイオンセンサ２とマイナスイオン量を測定する１個のイオンセンサを一対として、ここでは９対（１８個）設けられる。一対のイオンセンサ２，２は、順次（例えば１秒間等の所定間隔毎に）、プラスイオン量又はマイナスイオン量を測定して、自身の通信手段３２から出力する。尚、イオンセンサ２は、通信手段３２におけるイオン量出力指令の受信に基づいてイオン量を送信しても良い。又、イオン量出力指令は、プラスイオン量出力指令とマイナスイオン量出力指令に分けられても良い。更に、一対のイオンセンサ２，２に代えて、プラスイオン量を測定するプラスイオン測定部とマイナスイオン量を測定するマイナスイオン測定部を併有しあるいは切替可能に有している１個のイオンセンサ２において、プラスイオン量及びマイナスイオン量が測定されても良い。
一対のイオンセンサ２，２は、それぞれ、対象空間である１つの部屋の、１枚の壁における、壁に背を向けて部屋をみた場合の上部（天井隣接位置）左、上部中央、上部右、中央部左、中央部中央、中央部右、下部（床隣接位置）左、下部中央、下部右に配置されている。
各イオンセンサ２は、電極部２２の前部を部屋の中央へ向けた状態で設置されている。
部屋には、１個以上のイオン発生装置Ｇ（ここでは１個のマイナスイオン発生装置）が設置されている。
一対のイオンセンサ２，２毎にそれぞれ識別情報が付されており、ここでは上部左から下部右にかけて順にＣＨ（チャンネル）１〜ＣＨ９というチャンネル番号に係る識別情報が付されている。
所定のイオンセンサ２（ここではＣＨ２のマイナスイオンに係るイオンセンサ２）は、温度センサ３４及び湿度センサ３６を備えており、イオン量に付随して、温度センサ３４により得た室温及び湿度センサ３６に得た湿度を測定し送信する。尚、イオンセンサ２は、室温出力指令や湿度出力指令により室温や湿度を送信しても良い。又、温度センサ３４や湿度センサ３６を有するイオンセンサ２は、ＣＨ２のマイナスイオンに係るイオンセンサ２以外であっても良いし、任意の複数のイオンセンサ２であっても良い。あるいは、温度センサ３４や湿度センサ３６は、省略されても良い。
【００１３】
カメラ４は、撮像手段４０と、通信手段４２と、これらを制御するＭＰＵ４４と、を備えている。
撮像手段４０は、静止画である映像を取得する手段であり、例えばレンズと撮像素子と記憶手段の組合せである。尚、撮像手段４０は、映像として動画あるいは静止画と動画の組合せを取得するものであっても良いし、記憶手段を備えないものであっても良い。
カメラ４は、撮像手段４０が部屋の中央へ向かう状態で、各イオンセンサ２の設置される壁側に設置されており、各イオンセンサ２と向かい合う、部屋の大部分の映像を撮像する。尚、カメラ４は、部屋の隣接箇所に配置されたり、各イオンセンサ２とは異なる側に配置されたりしても良い。又、１台あるいは複数台のカメラ４により、部屋全体の映像が取得されるようにしても良い。
通信手段４２は、撮像手段４０で取得された映像を送信したり、カメラ４の電源のオンオフの指令や映像の出力の指令等を受信したりするものである。尚、通信手段４２は、映像の出力のみを行い入力を受け付けないものであっても良い。
ＭＰＵ４４は、通信手段４２において映像出力指令を受信すると、撮像手段４０により映像を取得して、通信手段４２から出力する。
【００１４】
演算手段６は、ここではコンピュータであり、通信手段５０と、各種の情報の格納手段５２と、これらを制御するＣＰＵ５４を備えている。
通信手段５０は、各種の信号を送受信する手段であり、例えばＵＳＢハブ、ネットワークアダプタ、あるいはこれらの組合せである。演算手段６は、通信手段５０を介して、マイナスイオンを発生するイオン発生装置Ｇと接続されている。イオン発生装置Ｇは、対象空間の部屋若しくはその隣接箇所に設置されている。尚、イオン発生装置Ｇは、プラスイオン、あるいはマイナスイオンとプラスイオンの双方を発生しても良い。又、イオン発生装置Ｇは、複数設けられていても良い。
格納手段５２は、プログラムやデータ等の各種の情報を記憶あるいは記録する手段であり、例えばハードディスク、揮発性又は不揮発性のメモリ、メモリディスク及びそのドライブ、あるいはこれらの組合せである。
格納手段５２は、イオン状況表示プログラム６０を格納しており、ＣＰＵ５４は、イオン状況表示プログラム６０を実行することで、イオン状況の表示を行う。
【００１５】
格納手段５２は、図３（ａ）にも示されるイオン量データベース６２を格納している。イオン量データベース６２は、時刻情報としての日時６３と、受信室温６４と、受信湿度６５と、帯電状態６６と、ＣＨ１受信プラスイオン量６７ａ＋〜ＣＨ９受信プラスイオン量６７ｉ＋と、ＣＨ１受信マイナスイオン量６７ａ−〜ＣＨ９受信マイナスイオン量６７ｉ−と、を対応付けたものである。以下、ＣＨ１受信プラスイオン量６７ａ＋〜ＣＨ９受信プラスイオン量６７ｉ＋はまとめて受信プラスイオン量６７＋とされることがあり、ＣＨ１受信マイナスイオン量６７ａ−〜ＣＨ９受信マイナスイオン量６７ｉ−はまとめて受信マイナスイオン量６７−とされることがある。尚、イオン量データベース６２は、プラスイオン量データベースとマイナスイオン量データベースに分けられても良い。又、日時６３は、日付を含まず時刻のみ格納されても良いし、時刻に秒未満を加えたり秒を省略したりしても良い。
ＣＰＵ５４は、通信手段５０を介して、各イオンセンサ２からプラスイオン量やマイナスイオン量を受信し、チャンネル毎に一時的に受信プラスイオン量や受信マイナスイオン量を積算する。そして、ＣＰＵ５４は、所定のタイミング（ここでは１０秒間毎の所定更新間隔毎）で、その日時６３と対応づけて、一時的に積算したチャンネル毎の受信プラスイオン量をイオン量データベース６２のＣＨ１受信プラスイオン量６７ａ＋〜ＣＨ９受信プラスイオン量６７ｉ＋として格納し、一時的に積算したチャンネル毎の受信マイナスイオン量をイオン量データベース６２のＣＨ１受信マイナスイオン量６７ａ−〜ＣＨ９受信プラスイオン量６７ｉ−として格納する。尚、ＣＰＵ５４は、イオン量の積算に代えて、イオン量の平均値を求めても良い。又、ＣＰＵ５４は、所定更新間隔である１０秒間の都度イオン量を受信する等、所定のタイミングに合わせてイオンセンサからイオン量を受信し、イオン量の精算や平均化を行わないようにしても良い。更に、各イオンセンサ２がイオン量出力指令に基づいてイオン量を出力する場合に、ＣＰＵ５４は所定タイミングでイオン量出力指令を発しても良い。
【００１６】
更に、ＣＰＵ５４は、通信手段５０を介して、ＣＨ２のイオンセンサ２から室温や湿度を受信し、格納手段５２における所定の格納領域において、最新のものを保存する。そして、ＣＰＵ５４は、上述の所定のタイミングで、その格納領域に格納されている受信室温６４や受信湿度６５をイオン量データベース６２に格納し、その格納領域における室温や湿度をクリアする。尚、温度センサ３４や湿度センサ３６を備えたイオンセンサ２が接続されていない場合、即ち室温や湿度を受信していない場合、その格納領域に情報がないので、イオン量データベース６２における受信室温６４や受信湿度６５は空欄（−１あるいはＥｍｐｔｙ等）とする。尚、ＣＨ２のイオンセンサ２が室温出力指令等に基づいて室温等を出力する場合に、ＣＰＵ５４は所定のタイミングで室温出力指令等を発しても良い。
又、帯電状態６６に関し、所定のタイミングでイオン発生装置Ｇが作動している（オンである）ことを把握したＣＰＵ５４は、帯電状態６６を正（Ｔｒｕｅ等）としてイオン量データベース６２に格納し、所定タイミングで部屋のイオン発生装置Ｇが作動していない（オフである）ことを把握したＣＰＵ５４は、帯電状態６６を否（Ｆａｌｓｅ等）としてイオン量データベース６２に格納する。
尚、上述の所定のタイミング（所定更新間隔）は、操作入力手段９からの入力に基づいて変更可能にされても良い。又、ＣＰＵ５４は、イオン量データベース６２において、所定個数を超えてプラスイオン量６７＋等を格納した場合に所定個数となるまで古いプラスイオン量６７＋等を消去したり、電源オフ時等の所定のタイミングでイオン量データベース６２の一部あるいは全部を消去したりしても良い。
【００１７】
又、格納手段５２は、図３（ｂ）にも示される受信映像データベース７０を格納している。受信映像データベース７０は、カメラ４から受信した映像である対象空間映像としての受信映像７１と、日時６３を対応付けたものである。ここでは、受信映像データベース７０において、受信映像７１が映像ファイル名で示されている。
ＣＰＵ５４は、上述の所定のタイミングで、通信手段５０を介してカメラ４に対し映像出力指令を発し、この指令に基づいてカメラ４から発せられた映像に対し、日時６３を付して、格納手段５２の受信映像データベース７０に格納する。尚、イオン量データベース６２と受信映像データベース７０を一体化しても良い。又、カメラ４は、映像出力指令に基づいて映像を出力するのではなく、順次映像を送信しても良い。更に、ＣＰＵ５４は、受信映像データベース７０において、所定個数を超えて受信映像７１等を格納した場合に所定個数となるまで古い受信映像７１等を消去したり、電源オフ時等の所定のタイミングで受信映像データベース７０の一部あるいは全部を消去したりしても良い。加えて、プラスイオン量６７＋等の格納と受信映像７１の格納は、別のタイミングで行われても良い。
【００１８】
表示手段８は、各種の情報を表示する手段であり、例えばフラットディスプレイ、あるいはタッチパネルの入力検知膜体以外の部分である。
表示手段８は、表示する情報等を受信する通信手段８０（例えば映像入力端子）と、表示体８２と、これらを制御するＭＰＵ８４を備えている。尚、通信手段８０は、表示手段８の状態を示す信号等を出力可能であっても良い。
演算手段６のＣＰＵ５４は、通信手段５０，８０を介して、表示手段８に対する各種の情報の表示指令を与えることが可能であり、表示手段８のＭＰＵ８４は、その表示指令に基づき、表示体８２において、イオン量ないしその演算結果の表示や、受信映像７１ないしその加工映像の表示を行う。ＣＰＵ５４は、イオン量データベース６２を参照してイオン量ないしその演算結果に関する表示指令を生成し、又受信映像データベース７０を参照して受信映像７１ないしその加工映像の表示指令を生成する。尚、表示手段８はＭＰＵ８４を備えず、ＣＰＵ５４で生成された表示情報をそのまま表示体８２において表示するものであっても良い。
【００１９】
操作入力手段９は、ユーザの操作の入力を受け付けて伝達する手段であり、例えば、キーボード、ポインティングデバイス、あるいはこれらの組合せである。
操作入力手段９は、操作の入力を受け付ける入力部９０（例えばボタンやキー）と、入力部９０における入力内容を送信する通信手段９２（例えばＵＳＢ端子）を有している。
尚、操作入力手段９は、表示手段８と一体であっても良く、この場合、表示体８２外の部分に付設されても良いし、タッチパネルの入力検知膜体のように表示体８２と一体であっても良い。又、通信手段９２は、操作入力手段９への指令を示す信号等を受信可能であっても良い。更に、操作入力手段９は、ＭＰＵを備えていても良い。加えて、イオンセンサ２、カメラ４、演算手段６、表示手段８、及び操作入力手段９の少なくとも何れか２個が一体であっても良い。
【００２０】
≪動作等≫
イオン状況表示装置１の動作例が以下主に説明される。
演算手段６（イオン状況表示プログラム６０を実行するＣＰＵ５４）は、直近のイオン状況を表示するリアルタイム表示処理と、保存されたイオン状況を表示する保存データ表示処理を実行可能である。演算手段６は、まずリアルタイム表示処理を行う。尚、最初に実行される処理は、リアルタイム表示処理以外であっても良い。又、少なくとも何れか一つの処理が省略されても良いし、他の表示処理が追加されても良い。
【００２１】
リアルタイム表示処理において、演算手段６のＣＰＵ５４は、イオン量データベース６２を参照し、最新の日時６３に係る受信室温６４等を取得する。
そして、演算手段６は、取得した受信室温６４等を、そのままあるいは各種の演算を施したうえで、図４〜図５に示されるような画面の何れかを、表示手段８の表示体８２において表示させる。演算手段６は、まず図４（ａ）に示される画面（リアルタイム１ｃｈ画面）を表示させるが、他の画面を初期画面としても良い。
図４（ａ）において、表示体８２には、イオン濃度ラベル１００と、イオン濃度カラーバー１０２と、環境表示部１０４と、１個のチャンネル番号表示部１０６と、イオン状況表示部１０８と、ボタン表示部１１０が表示される。
ボタン表示部１１０には、１ｃｈ（１チャンネル）ボタン１１１と、３ｃｈボタン１１２と、６ｃｈボタン１１３と、９ｃｈボタン１１４と、履歴ボタン１２０と、第１チャンネル選択ボタン１２２と、第２チャンネル選択ボタン１２３と、帯電開始終了ボタン１２４と、記録開始ボタン１２６と、記録終了ボタン１２７が表示される。又、ＣＰＵ５４は、ボタン表示部１１０において、処理状態や画面の遷移等に応じ、ボタンの種類を変化させたり、ボタンを一時的に消去することが可能である。
【００２２】
リアルタイム１ｃｈ画面に関し、ＣＰＵ５４は、日時６３、並びに対応する受信室温６４及び受信湿度６５を、環境表示部１０４において表示させる。
又、ＣＰＵ５４は、現在選択されているイオンセンサ２，２に係るチャンネル番号を、チャンネル番号表示部１０６に表示させる。演算手段６は、操作入力手段９からチャンネル番号に関する選択入力を受けると、選択に係るチャンネル番号をその選択入力に応じ変更する。ここでは、ＣＰＵ５４は、第１チャンネル選択ボタン１２２に対する入力受付（ポインティングデバイスによるポイントのうえでの押下やタッチパネル入力検知膜体におけるボタン表示部分への入力等）毎に、選択に係るチャンネル番号を１つ減らし（但しＣＨ１の場合は最大のチャンネル番号であるＣＨ９とし）、第２チャンネル選択ボタン１２３に対する入力受付毎に、選択に係るチャンネル番号を１つ増やす（但しＣＨ９の場合は最小のチャンネル番号であるＣＨ１とする）。尚、初期のチャンネル番号はＣＨ１であるが、他のものにされていても良い。
【００２３】
更に、ＣＰＵ５４は、現在選択されているチャンネル番号に係るイオン量等に関する情報を、イオン状況表示部１０８において表示させる。
ＣＰＵ５４は、取得した受信プラスイオン量６７＋や受信マイナスイオン量６７−のうち、そのチャンネル番号に係るものを用いて、イオン相関値としてのマイナスイオンリッチ比やマイナスイオンリッチ比率を算出する。例えば、選択に係るチャンネル番号がＣＨ１である場合、ＣＨ１マイナスイオンリッチ比は、次の式（１）で算出され、ＣＨ１マイナスイオンリッチ比率は、次の式（２）で算出される。ここで、｜ｘ｜はｘの絶対値を表す。又、ＣＨ１受信プラスイオン量６７ａ＋が０である場合、ＣＨ１マイナスイオンリッチ比率は無限大（∞）とする。尚、１つの式でマイナスイオンリッチ比率を算出しても良い。又、他のチャンネル番号に係るマイナスイオンリッチ比率の算出は、チャンネル番号ＣＨ１の場合と同様である。
ＣＨ１マイナスイオンリッチ比＝
｜ＣＨ１受信マイナスイオン量６７ａ−｜／｜ＣＨ１受信プラスイオン量６７ａ＋｜        ・・（１）
ＣＨ１マイナスイオンリッチ比率［％］＝
ＣＨ１マイナスイオンリッチ比×１００    ・・（２）
【００２４】
ＣＰＵ５４は、演算したマイナスイオンリッチ比率を、イオン状況表示部１０８の中央に表示させる（マイナスイオンリッチ比率表示１３０）。イオン濃度ラベル１００は、イオン状況表示部１０８に表示される数値がマイナスイオンリッチ比率である旨を報知する表示である。尚、ＣＰＵ５４は、マイナスイオンリッチ比率に代えて、あるいはマイナスイオンリッチ比率と共に、マイナスイオンリッチ比を表示させても良い。
又、ＣＰＵ５４は、受信映像データベース７０を参照し、最新の日時６３に係る受信映像７１を取得して、イオン状況表示部１０８に表示させる。このとき、ＣＰＵ５４は、マイナスイオンリッチ比率の値に応じ、受信映像７１を加工したうえで表示させ、ここでその加工は、受信映像７１に対するマイナスイオンリッチ比率の値に応じた色づけである。イオン状況表示部１０８では、イオン相関値であるマイナスイオンリッチ比率表示１３０の背景として受信映像７１が表示され、受信映像７１は、イオン相関値表示の周辺部となり、その周辺部として色づけ表示されるものである。尚、カメラ４が接続されていないこと等により、受信映像７１が存在しない場合には、イオン状況表示部における１０８における受信映像７１の表示を省略しても良く、この場合にイオン状況表示部１０８の背景に対して単色の色づけを行っても良いし、あるいは受信映像７１に代わる所定の映像を適宜色づけして表示しても良い。又、受信映像７１に代えて、あるいは受信映像７１と共に、マイナスイオンリッチ比率表示１３０の一部若しくは全部を色づけしても良く、共に色づけする場合にマイナスイオンリッチ比率表示１３０と受信映像７１の色ないし色づけ処理を互いに異なるものとしても良い。
ＣＰＵ５４は、マイナスイオンリッチ比率が０％以上２５％未満であると濃い赤色で色づけし、２５％以上５０％未満であると比較的に薄い赤色で色づけし、５０％以上１００％未満であると更に薄い赤色で色づけし、１００％以上２００％未満であると色づけをせず、２００％以上５００％未満であると薄い青色で色づけし、５００％以上１０００％未満であると比較的に濃い青色で色づけし、１０００％以上１００００％未満であると更に濃い青色で色づけし、１００００％以上であると一層濃い青色で色づけする。イオン濃度カラーバー１０２は、マイナスイオンリッチ比率と、それぞれの濃さにおける赤色，青色あるいは無色（加工無し）の対応関係を報知する表示である。尚、これらの色づけは、受信映像７１の各画素の色データがＲＧＢ（赤緑青）値で表され、値が大きいほど濃い色が表される場合に、各画素のＲ値あるいはＢ値に対して所定値を加算するものであっても良い。又、色やその濃さは、他のものであっても良く、全ての段階で色づけされるようにしても良い。以下、色づけや色づけ処理においては、１００％以上２００％未満であるときのような加工無しの場合を適宜その一部に含むものとする。
【００２５】
ＣＰＵ５４は、リアルタイム表示処理中に、１ｃｈボタン１１１への入力を受け付けた場合にも、リアルタイム１ｃｈ画面に係る表示を行う。
又、ＣＰＵ５４は、帯電開始終了ボタン１２４に対する入力を受け付けた場合、イオン発生装置Ｇに対してオンオフ切替の指令を発する。例えば、ＣＰＵ５４は、初期状態でオフであるイオン発生装置Ｇに対してオンの指令を発し、「帯電開始」とされていた帯電開始終了ボタン１２４内の表示を「帯電終了」とする。又、ＣＰＵ５４は、「帯電終了」と表示された帯電開始終了ボタン１２４への入力を受け付けると、イオン発生装置Ｇに対してオフの指令を発して、帯電開始終了ボタン１２４内の表示を「帯電終了」から「帯電開始」に変更する。尚、ＣＰＵ５４は、イオン量データベース６２への帯電状態６６の格納に関し、イオン発生装置Ｇと通信して帯電状態６６を把握しても良いし、帯電開始終了ボタン１２４の状態により帯電状態６６を把握しても良い。又、演算手段６がイオン発生装置Ｇと接続されていない場合等において、イオン発生装置Ｇへの指令をしない以外帯電開始終了ボタン１２４と同様に成る帯電状態指示ボタンにより、帯電状態６６の切り替わりの入力が受け付けられても良い。
【００２６】
ＣＰＵ５４は、リアルタイム表示処理中に３ｃｈボタン１１２への入力を受け付けた場合、図４（ｂ）に示されるような、互いにチャンネル番号の異なる３チャンネル分のイオンセンサ２，２に係るイオン量に関する画面（リアルタイム３ｃｈ画面）の表示を行う。
ＣＰＵ５４は、リアルタイム３ｃｈ画面の表示について、選択に係るチャンネル番号が３個であることを除き、リアルタイム１ｃｈ画面の表示と同様に処理する。
特に、ＣＰＵ５４は、選択に係るチャンネル番号を、３個のチャンネル番号表示部１０６ａ，１０６ｂ，１０６ｃにおいて表示させる。
又、ＣＰＵ５４は、第１チャンネル選択ボタン１２２に対する入力受付毎に、選択に係るチャンネル番号をＣＨ１，ＣＨ２，ＣＨ３からＣＨ７，ＣＨ８，ＣＨ９、又ＣＨ４，ＣＨ５，ＣＨ６に変え、そしてＣＨ１，ＣＨ２，ＣＨ３に戻るものとし、第２チャンネル選択ボタン１２３に対する入力受付毎に、ＣＨ１，ＣＨ２，ＣＨ３からＣＨ４，ＣＨ５，ＣＨ６、又ＣＨ７，ＣＨ８，ＣＨ９に変え、そしてＣＨ１，ＣＨ２，ＣＨ３に戻るものとする。尚、ＣＰＵ５４は、ＣＨ１，ＣＨ２，ＣＨ３からＣＨ２，ＣＨ３，ＣＨ４、又ＣＨ３，ＣＨ４，ＣＨ５といったように、選択に係るチャンネル番号を変える処理を行っても良い。
更に、ＣＰＵ５４は、最新の日時６３に係る受信プラスイオン量６７＋や受信マイナスイオン量６７−から、選択された各チャンネル番号のマイナスイオンリッチ比率を算出し、イオン状況表示部１０８に表示させる（マイナスイオンリッチ比率表示１３０）。例えば、選択に係るチャンネル番号がＣＨ１，ＣＨ２，ＣＨ３である場合、その一対のイオンセンサ２，２の配置に応じ、ＣＨ１に係るマイナスイオンリッチ比率をイオン状況表示部１０８の左部１０８ａに表示させ、ＣＨ２に係るマイナスイオンリッチ比率をイオン状況表示部１０８の中央部１０８ｂに表示させ、ＣＨ３に係るマイナスイオンリッチ比率をイオン状況表示部１０８の右部１０８ｃに表示させる（マイナスイオンリッチ比率表示１３０，１３０・・）。
加えて、ＣＰＵ５４は、受信映像７１の左部，中央部，右部のそれぞれに対し、対応するチャンネル番号に係るマイナスイオンリッチ比率に応じた色づけを行って（加工無しの場合を除く）、加工処理後の受信映像７１をイオン状況表示部１０８に表示させる。
【００２７】
ＣＰＵ５４は、リアルタイム表示処理中に６ｃｈボタン１１３への入力を受け付けた場合、図５（ａ）に示されるような、互いにチャンネル番号の異なる６チャンネル分のイオン量に関する画面（リアルタイム６ｃｈ画面）の表示を行う。
ＣＰＵ５４は、リアルタイム６ｃｈ画面の表示について、選択に係るチャンネル番号が６個であることを除き、リアルタイム１ｃｈ画面の表示やリアルタイム３ｃｈ画面の表示と同様に処理する。
即ち、ＣＰＵ５４は、選択に係るチャンネル番号を、６個のチャンネル番号表示部１０６ａ〜１０６ｆにおいて表示させる。
又、ＣＰＵ５４は、第１チャンネル選択ボタン１２２に対する入力受付毎に、選択に係るチャンネル番号をＣＨ１〜ＣＨ６からＣＨ３〜ＣＨ９に変え、又ＣＨ３〜ＣＨ９からＣＨ６〜ＣＨ９及びＣＨ１〜ＣＨ３に変え、更に元に戻るようにする。ＣＰＵ５４は、第２チャンネル選択ボタン１２３についても、変化を逆にして同様に処理する。
加えて、ＣＰＵ５４は、最新の日時６３に係る受信プラスイオン量６７＋や受信マイナスイオン量６７−から、選択された各チャンネル番号のマイナスイオンリッチ比率を算出し、イオン状況表示部１０８に表示させる（マイナスイオンリッチ比率表示１３０，１３０・・）。イオン状況表示部１０８は、上左部１０８ａＡ，上中央部１０８ｂＡ，上右部１０８ｃＡ，下左部１０８ａＢ，下中央部１０８ｂＢ，下右部１０８ｃＢを含んでおり、ＣＰＵ５２は、各部に対し、対応する受信映像７１部分の色づけ処理や、対応するマイナスイオンリッチ比率の表示を行う。
【００２８】
ＣＰＵ５４は、リアルタイム表示処理中に９ｃｈボタン１１４への入力を受け付けた場合、図５（ｂ）に示されるような、９チャンネル分のイオン量に関する画面（リアルタイム９ｃｈ画面）の表示を行う。
ＣＰＵ５４は、リアルタイム９ｃｈ画面の表示について、全９チャンネルについて同時に表示処理することを除き、リアルタイム１ｃｈ画面の表示やリアルタイム３ｃｈ画面の表示、あるいはリアルタイム６ｃｈ画面の表示と同様に処理する。
即ち、ＣＰＵ５４は、９個のチャンネル番号表示部１０６ａ〜１０６ｉにおいて表示させる。
又、ＣＰＵ５４は、第１チャンネル選択ボタン１２２や第２チャンネル選択ボタン１２３への入力を受け付けない。尚、それらの入力を受け付け、表示箇所が変化するようにしても良い。
更に、ＣＰＵ５４は、最新の日時６３に係る受信プラスイオン量６７＋や受信マイナスイオン量６７−から、全てのチャンネル番号のマイナスイオンリッチ比率を算出し、イオン状況表示部１０８に表示させる（マイナスイオンリッチ比率表示１３０，１３０・・）。イオン状況表示部１０８は、上左部１０８ａ１，上中央部１０８ｂ１，上右部１０８ｃ１，中央左部１０８ａ２，中央部１０８ｂ２，中央右部１０８ｃ２，下左部１０８ａ３，下中央部１０８ｂ３，下右部１０８ｃ３を含んでおり、ＣＰＵ５２は、各部に対し、対応する受信映像７１部分の色づけ処理や、対応するマイナスイオンリッチ比率の表示を行う。
【００２９】
一方、ＣＰＵ５４は、リアルタイム表示処理中に履歴ボタン１２０に対する入力を受け付けると、図６（ａ）に示されるような、イオン量の履歴に関する画面（リアルタイム履歴画面）の表示を行う。
ＣＰＵ５４は、イオン量データベース６２を参照し、最新の日時６３に係る順番を１番目とし、１番目の次に新しい日時６３に係る順番を２番目とし、以下同様に順番を付した場合の１番目から９番目までの日時６３や、その日時６３に対応する受信プラスイオン量６７＋や受信マイナスイオン量６７−を参照する。９番目等における受信プラスイオン量６７＋や受信マイナスイオン量６７−がない場合、ＣＰＵ５４は、その順番における表示を行わない（空白を表示する）。
そして、ＣＰＵ５４は、第１チャンネル選択ボタン１２２や第２チャンネル選択ボタン１２３により選択されたチャンネル番号（初期に選択されているチャンネル番号は例えばＣＨ１）における、１〜９番目の日時６３に係るマイナスイオンリッチ比率をそれぞれ演算して表示させる（マイナスイオンリッチ比率表示１３０，１３０・・が時系列でなされる）。尚、履歴として表示されるマイナスイオンリッチ比率の数は、９個以外であっても良い。
リアルタイム履歴画面は、リアルタイム９ｃｈ表示画面と同様であるが、環境表示部１０４には日時６３における日付及び選択されたチャンネル番号が表示され、チャンネル番号表示部１０６ａ〜１０６ｉに代えて日時６３における時刻の表示と帯電状態６６の表示を含む時刻表示部１０６Ａ〜１０６Ｉが表示される。時刻表示部１０６Ａ〜１０６Ｉにおいて、帯電状態６６が「正」である場合には「帯電中」と表示され、帯電状態６６が「否」である場合には「帯電停止」と表示される。尚、時刻表示部１０６Ａ〜１０６Ｉにおいて、帯電状態６６の表示は省略されても良い。又、リアルタイム履歴画面は、リアルタイム９ｃｈ表示画面とは異なるレイアウトであっても良い。
又、リアルタイム履歴画面では、９分割されたイオン状況表示部１０８の各分割部分において、対応する日時６３に係るマイナスイオンリッチ比率が表示されると共に（マイナスイオンリッチ比率表示１３０，１３０・・）、対応する日時６３に係る受信映像７１の全体が色づけ処理のうえで表示される。右下部の分割部分が最新（１番目）の表示で、左上部の分割部分が９番目の表示となっているが、その逆等となっていても良い。
【００３０】
他方、ＣＰＵ５４は、リアルタイム表示処理中に、記録開始ボタン１２６に対する入力を受け付けると、所定記録間隔（ここでは５分間）毎にイオン量データベース６２の受信プラスイオン量６７＋や受信マイナスイオン量６７−を積算した保存データベース１３２の記録を開始する。保存データベース１３２は、イオン量データベース６２と同様の内容となっている。ここでは、イオン量データベース６２における１個の日時６３とその対応要素（１項目）が１０秒間に一度取得されるので、保存データベース１３２における１項目は、イオン量データベース６２の３０項目分である。尚、ＣＰＵ５４は、受信プラスイオン量６７＋や受信マイナスイオン量６７−の積算値に代えて、あるいはその積算値と共に、受信プラスイオン量６７＋や受信マイナスイオン量６７−の平均値を、保存データベース１３２に格納しても良い。又、保存データベース１３２において、イオン量データベース６２の１項目毎に算出したチャンネル番号毎のマイナスイオンリッチ比率の平均値が保存されても良い。更に、ＣＰＵ５４は、記録開始後に、表示手段８において記録中である旨を表示させても良い。
又、ＣＰＵ５４は、保存データベース１３２の最初の項目として、記録開始ボタン１２６への入力受付時（記録開始時）における、イオン量データベース６２の最新の１項目（積算あるいは平均化されていないもの）を、記録初期状態として記録する。
【００３１】
そして、ＣＰＵ５４は、記録中に、記録停止ボタン１２７への入力を受け付けると、保存データベース１３２への記録を停止すると共に、図６（ｂ）に示されるような、保存データベース１３２の内容を表示する画面（保存データ結果画面）の表示を行う（保存データ表示処理）。
ＣＰＵ５４は、保存データ結果画面として、イオン濃度ラベル１００と、イオン濃度カラーバー１０２と、環境表示部１０４と、初期データ表示部１４０と、計測後データ表示部１４２と、初期保存データ表示部１４４と、計測後保存データ表示部１４６と、ボタン表示部１１０を表示させる。
ＣＰＵ５４は、ボタン表示部１１０において、リアルタイム表示処理における帯電開始終了ボタン１２４と記録開始ボタン１２６と記録終了ボタン１２７を表示させず、結果ボタン１５０と時刻スライドバー１５２と閉じるボタン１５４を表示させる。
【００３２】
ＣＰＵ５４は、環境表示部１０４において、リアルタイム履歴画面と同様、日付及び選択されたチャンネル番号を表示させる。
ＣＰＵ５４は、初期データ表示部１４０において、保存データベース１３２の最初の項目（記録初期状態）における、選択されたチャンネル番号の受信プラスイオン量６７＋と受信マイナスイオン量６７−を表示させる。
又、ＣＰＵ５４は、計測後データ表示部１４２において、保存データベース１３２の最初の項目（記録初期状態）を除いた全項目における、選択されたチャンネル番号の受信プラスイオン量６７＋の平均値と受信マイナスイオン量６７−の平均値を表示させる。尚、ＣＰＵ５４は、計測後データ表示部１４２において、保存データベース１３２の一部の項目（最後の項目のみあるいはその項目と最後から２番目の項目等）における受信プラスイオン量６７＋（の平均値）と受信マイナスイオン量６７−（の平均値）を表示させても良い。
【００３３】
更に、ＣＰＵ５４は、初期保存データ表示部１４４において、保存データベース１３２の最初の項目における、選択されたチャンネル番号の受信プラスイオン量６７＋と受信マイナスイオン量６７−から算出したマイナスイオンリッチ比率を表示させる（マイナスイオンリッチ比率表示１３０）。
又、ＣＰＵ５４は、計測後保存データ表示部１４６において、保存データベース１３２の全項目（最初の項目を除く）における、選択されたチャンネル番号の受信プラスイオン量６７＋の積算値と受信マイナスイオン量６７−の積算値から算出したマイナスイオンリッチ比率を表示させる（マイナスイオンリッチ比率表示１３０）。
加えて、ＣＰＵ５４は、保存データベース１３２における最初の項目の日時に対応する受信映像７１を、受信映像データベース７０から取得し、初期保存データ表示部１４４から計測後保存データ表示部１４６にかけて表示させる。このとき、ＣＰＵ５４は、初期のマイナスイオンリッチ比率や、計測に係る通算のマイナスイオンリッチ比率に応じて、初期保存データ表示部１４４（受信映像７１の左部）や、計測後保存データ表示部１４６（受信映像７１の右部）を、色づけ処理する。尚、保存データベース１３２の各項目において、１個あるいは複数の受信映像７１が日時６３と対応付けて格納されても良く、格納される受信映像７１は、対応する日時６３内であれば、先頭の受信映像７１や最後の受信映像７１や中間の受信映像７１等、何れのものであっても良い。
【００３４】
一方、ＣＰＵ５４は、保存データ表示処理中に、１ｃｈボタン１１１への入力を受け付けると、リアルタイム１ｃｈ画面と同様である、保存データ１ｃｈ画面を表示させる。保存データ１ｃｈ画面における日時や室温、湿度、ないしマイナスイオンリッチ比率は、保存データベース１３２における指定された日時のものが表示される（初期値は例えば記録初期状態のもの）。この日時の指定は、時刻スライドバー１５２に対する入力によって行うことができ、ここでは記録初期状態の日時が、時刻スライドバー１５２のノブ１５６の最左方配置に対応し、記録停止直前の日時が、そのノブ１５６の最右方配置に対応して、そのノブ１５６に対するスライド入力によって、保存データベース１３２の範囲内における任意の日時の指定がなされる。
同様に、ＣＰＵ５４は、保存データ表示処理中に、３ｃｈボタン１１２への入力を受け付けると、リアルタイム３ｃｈ画面と同様である、保存データ３ｃｈ画面を表示させ、６ｃｈボタン１１３への入力を受け付けると、リアルタイム６ｃｈ画面と同様である、保存データ６ｃｈ画面を表示させ、９ｃｈボタン１１４への入力を受け付けると、リアルタイム９ｃｈ画面と同様である、保存データ９ｃｈ画面を表示させる。保存データ３ｃｈ画面，保存データ６ｃｈ画面，保存データ９ｃｈ画面における、日時や室温、湿度、ないしマイナスイオンリッチ比率は、保存データベース１３２における指定された日時のものが表示される。
又、ＣＰＵ５４は、保存データ表示処理中に、履歴ボタン１２０への入力を受け付けると、リアルタイム履歴画面と同様である、保存データ履歴画面を表示させる。保存データ履歴画面における、日時、帯電状態ないしマイナスイオンリッチ比率は、保存データベース１３２における指定された日時範囲のものが表示される。日時範囲も、時刻スライドバー１５２におけるノブ１５６のスライドによって指定可能である。保存データ履歴画面では、所定記録間隔（５分間）毎のマイナスイオンリッチ比率等の履歴が表示される。
【００３５】
そして、ＣＰＵ５４は、結果ボタン１５０への入力に応じ、保存データ結果画面を表示させる処理に戻る。
又、ＣＰＵ５４は、閉じるボタン１５４への入力に応じ、リアルタイム表示処理に戻る。このとき、ＣＰＵ５４は、表示体８２において、記録終了時の画面に戻るようにするが、リアルタイム表示処理の初期画面等の別の画面に戻るようにしても良い。
【００３６】
≪作用効果等≫
以上のイオン状況表示装置１では、プラスイオン量及びマイナスイオン量を検知する９対のイオンセンサ２，２・・と、イオンセンサ２，２・・から、プラスイオン量及びマイナスイオン量を受信する演算手段６と、演算手段６に接続された表示手段８と、を有しており、演算手段６は、受信したプラスイオン量及びマイナスイオン量即ちＣＨ１受信プラスイオン量６７ａ＋〜ＣＨ９受信プラスイオン量６７ｉ＋及びＣＨ１受信マイナスイオン量６７ａ−〜ＣＨ９受信マイナスイオン量６７ｉ−を格納する格納手段５２を備えていると共に、ＣＨ１受信プラスイオン量６７ａ＋〜ＣＨ９受信プラスイオン量６７ｉ＋及びＣＨ１受信マイナスイオン量６７ａ−〜ＣＨ９受信マイナスイオン量６７ｉ−から、各チャンネル番号毎のマイナスイオンリッチ比率を演算可能であり、それらマイナスイオンリッチ比率は、チャンネル番号毎のＣＨ１受信プラスイオン量６７ａ＋〜ＣＨ９受信プラスイオン量６７ｉ＋とＣＨ１受信マイナスイオン量６７ａ−〜ＣＨ９受信マイナスイオン量６７ｉ−の比率（マイナスイオン比率）であり、表示手段８は、マイナスイオンリッチ比率を表示する（マイナスイオンリッチ比率表示１３０）。
よって、測定対象空間である部屋内のプラスイオンとマイナスイオンの関係の状況について明確に表示可能であるイオン状況表示装置１が提供される。
【００３７】
又、演算手段６は、ＣＨ１受信プラスイオン量６７ａ＋〜ＣＨ９受信プラスイオン量６７ｉ＋及びＣＨ１受信マイナスイオン量６７ａ−〜ＣＨ９受信マイナスイオン量６７ｉ−を、日時６３と対応付けて複数格納手段５２に格納し、表示手段８は、チャンネル番号毎のマイナスイオンリッチ比率を、日時６３に基づいて時系列で表示する。よって、プラスイオンとマイナスイオンの関係の変化の状況について明確に表示可能であり、特に部屋が帯電状態となる前後（部屋におけるイオン発生装置Ｇの起動前後）における状況が一目で分かるようになってイオン発生装置Ｇの効果を分かり易く可視化可能である。
更に、一対のイオンセンサ２，２は、複数対配置されており（ＣＨ１〜ＣＨ９）、表示手段８は、複数対のイオンセンサ２，２・・におけるマイナスイオンリッチ比率を、リアルタイム３ｃｈ画面，リアルタイム６ｃｈ画面，リアルタイム９ｃｈ画面，保存データ３ｃｈ画面，保存データ６ｃｈ画面，保存データ９ｃｈ画面において同時に、又はリアルタイム１ｃｈ画面，保存データ１ｃｈ画面において切替えて表示する。よって、複数対のイオンセンサ２，２を部屋における異なる位置に配置して、部屋に対する広がりをもった状態でイオン量を把握してそれぞれのマイナスイオンリッチ比率表示を表示することができ、現在や過去における室内全体のイオンの状況について表示可能なイオン状況表示装置１を提供することができる。
【００３８】
加えて、表示手段８は、マイナスイオンリッチ比率の大きさに対応付けられた色に色づけした状態で、マイナスイオンリッチ比率表示１３０の周辺部である受信映像７１を表示する。よって、マイナスイオンリッチ比率の大きさが色づけ具合によって一目瞭然となる。
又、部屋の一部（イオンセンサ２，２を設置した壁の逆側部分）の映像である受信映像７１を撮影するカメラ４を備えており、イオンセンサ２，２・・は、部屋に設置されており、表示手段８は、受信映像７１を表示する。よって、測定対象空間である部屋の状況をイオン状況と共に報知可能であり、帰宅時に部屋内の人数が増加してマイナスイオンリッチ比率が減少し、その後イオン発生装置Ｇの作動や部屋内の人数の減少によりマイナスイオンリッチ比率が増加した、というような、部屋の状況と合わせたイオン状況を可視化することができる。
更に、演算手段６は、受信映像７１を受信可能にカメラ４と接続されていると共に、受信映像７１を、日時６３と対応付けて複数格納手段５２に格納し、表示手段８は、受信映像７１を、日時５２に基づいて時系列で表示する。よって、部屋の変化の状況と合わせてイオン状況を可視化することが可能となる。
【００３９】
≪変更例等≫
上記の形態の一部を変更した変更例等が、以下説明される。
演算手段は、イオン相関値として、マイナスイオンリッチ比率に代えて、あるいはマイナスイオンリッチ比率と共に、マイナスイオンリッチ差を算出しても良い。ここで、マイナスイオンリッチ差は、チャンネル番号毎に算出され、ＣＨ１については次の式（３）で示され、他のチャンネル番号でも同様である。尚、マイナスイオンリッチ差は、マイナスイオン量からプラスイオン量を引いたものであっても良い。
ＣＨ１マイナスイオンリッチ差＝
｜ＣＨ１受信プラスイオン量６７ａ＋｜−｜ＣＨ１受信マイナスイオン量６７ａ−｜        ・・（３）
【００４０】
演算されたマイナスイオンリッチ差は、例えばマイナスイオンリッチ比率と同様に表示可能である。図７は、その表示のリアルタイム履歴画面に係る模式図である。図７では、背景（マイナスイオンリッチ差表示の周辺部）は、受信映像に代えて、マイナスイオンリッチ差の大きさに応じて色づけされた１色の静止画とされている。又、図７では、所定更新間隔が１２秒間となっている。
図７（ａ）は、リアルタイム履歴画面におけるイオン濃度ラベル及びイオン濃度カラーバーの模式図である。イオン濃度ラベルは、「プラスリッチ」，「マイナスリッチ」となっており、マイナスイオンリッチ差が表示されている旨報知している。又、イオン濃度カラーバーは、符号がプラスであるマイナスイオンリッチ差の絶対値が５００以上である場合に最も薄い色（白色）となっており、その絶対値が小さくなるにつれて色が少しずつ濃くなり（白色〜薄灰色）、その絶対値が０以上５０未満で灰色となり、符号がマイナスであるマイナスイオンリッチ差の絶対値が０を超えて５０未満である場合に更に少し濃い灰色となり、その絶対値が大きくなるにつれて色が少しずつ濃くなり（濃灰色〜特濃灰色）、その絶対値が５０以上である場合に最も濃い色（黒色）となっていることを示している。
図７（ｂ），（ｃ）は、リアルタイム履歴画面における時刻表示部ないしイオン状況表示部（マイナスイオンリッチ差表示部）の、イオン発生装置作動前（帯電前），作動後（帯電後）における模式図である。マイナスイオンリッチ差が、背景の各種の色づけと共に、時系列で表示されており、帯電前より帯電後において、マイナスイオン量がより豊富であり、部屋の各部においてマイナスイオンが優位である状況が、明確に可視化されている。
【００４１】
又、マイナスイオンリッチ比率とマイナスイオンリッチ差は、併せて表示されても良いし、切替えて表示されても良い。切替える場合、表示切替ボタンを設置して、そのボタンへの入力を受け付ける度に、マイナスイオンリッチ比率表示とマイナスイオンリッチ差表示が切替えられても良いし、特定のタイミング毎（例えば５秒間毎）に切替えられても良い。
かような表示により、イオン状況について多様な側面から報知することが可能となる。
【００４２】
更に、保存データ表示処理に係るマイナスイオンリッチ比率の初期値は、次のように算出されても良い。
即ち、下記［表１］に示されるように、初期値は、イオン状況表示装置が起動してからの任意時間におけるマイナスイオンリッチ比の平均の１００倍として算出される。ここで、任意時間においては、ＣＨ１受信プラスイオン量やＣＨ１受信マイナスイオン量等がｎ組受信され（データ数ｎ，ｎは自然数）、任意時間の経過後に、保存データ表示処理の実行が開始されるものである。
何れのチャンネル番号でも同じであり、ＣＨ１について以下説明される。データ数が１である場合、ＣＨ１プラスイオン量をａ１とすると、ＣＨ１平均プラスイオン量はａ１である。又、データ数が２である場合、２番目のＣＨ１プラスイオン量をａ２とすると、ＣＨ１平均プラスイオン量は（ａ１＋ａ２）／２である。更に、データ数が３である場合、３番目のＣＨ１プラスイオン量をａ３とすると、ＣＨ１平均プラスイオン量は（ａ１＋ａ２＋ａ３）／３である。以下同様に、データ数がｎである場合、ｎ番目のＣＨ１プラスイオン量をａｎとすると、ＣＨ１平均プラスイオン量はΣａｎ／ｎであり、ここでΣａｎはａｋ（ｋ＝１〜ｎ）の総和である。同様にして、ＣＨ１平均マイナスイオン量は、ｎ番目のＣＨ１マイナスイオン量（絶対値）をｂｎとしてΣｂｎ／ｎである。
そして、マイナスイオンリッチ比の初期値は、（Σｂｎ／ｎ）／（Σａｎ／ｎ）によって算出され、マイナスイオンリッチ比率の初期値は、その１００倍となる。
【００４３】
【表１】
2018013451.tif 000003
【００４４】
又、イオン相関値として、次に代表してＣＨ１について説明されるマイナスイオンリッチ比変動率が用いられても良い。
即ち、下記［表２］に示されるように、ＣＨ１マイナスイオンリッチ比変動率の表示開始指令後（例えばイオン発生装置の起動後や変動率測定開始ボタンへの入力受付後等）におけるＣＨ１プラスイオン量やＣＨ１マイナスイオン量のデータ数をＮ（自然数）とし、Ｎ番目のＣＨ１プラスイオン量，ＣＨ１マイナスイオン量をＡＮ，ＢＮとすると、データ数Ｎにおけるマイナスイオンリッチ比はＢＮ／ＡＮであり、マイナスイオンリッチ比変動率は、上記初期値を用いて、（ＢＮ／ＡＮ）／初期値、即ち（ＢＮ／ＡＮ）／（Σｂｎ／ｎ）／（Σａｎ／ｎ）となる。
例えば、初期値（Σｂｎ／ｎ）／（Σａｎ／ｎ）が０．５である場合において、ＣＨ１マイナスイオンリッチ比変動率の表示開始指令後のデータ数が３であるときのＣＨ１プラスイオン量ＡＮが１００個、ＣＨ１マイナスイオン量ＢＮが３００個であったとすると、ＢＮ／ＡＮは３となり、マイナスイオンリッチ比変動率は３／０．５＝６となって、マイナスイオン量のプラスイオン量に対する比に関し６倍の変化が起こったことが示される。
尚、マイナスイオンリッチ比変動率は、上述の初期値を用いずに算出されても良く、例えば最新のマイナスイオンリッチ比に対する、所定個数前（例えば所定更新間隔における１個前）のマイナスイオンリッチ比の比として算出されても良い。
【００４５】
【表２】
2018013451.tif 000004
【００４６】
更に、イオン相関値として、マイナスイオンリッチ差変動率が算出されても良い。マイナスイオンリッチ差変動率は、例えば、最新のマイナスイオンリッチ差を、所定更新間隔に係る１個前のマイナスイオンリッチ差で除して算出される。
同様に、イオン相関値として、プラスイオン量変動率や、マイナスイオン量変動率が算出されても良い。
又、イオン相関値として、マイナスイオンリッチ比率変動率が算出されても良い。マイナスイオンリッチ比率変動率は、マイナスイオンリッチ比変動率を１００倍することで算出可能である。
【００４７】
各種の変動率は、同時にあるいは切替により組み合わせて表示されても良いし、マイナスイオンリッチ比率やマイナスイオンリッチ差の少なくとも一方と、同時にあるいは切替により表示されても良い。
更に、各チャンネル番号に係るプラスイオン量やマイナスイオン量の少なくとも一方も、マイナスイオンリッチ比率，マイナスイオンリッチ差，マイナスイオンリッチ比変動率，マイナスイオンリッチ差変動率の少なくとも何れかと、同時にあるいは切替により表示されても良い。
要するに、イオン状況表示装置は、プラスイオン量、マイナスイオン量、各種のイオン相関値における、任意の組合せについて表示を行うことが可能である。
【符号の説明】
【００４８】
１・・イオン状況表示装置、２・・イオンセンサ、４・・カメラ、６・・演算手段、８・・表示手段、５２・・格納手段、６７ａ＋〜６７ｉ＋・・ＣＨ１〜ＣＨ９受信プラスイオン量、６７ａ−〜６７ｉ−・・ＣＨ１〜ＣＨ９受信マイナスイオン量、７１・・受信映像（対象空間映像）。
【図１】
2018013451.tif 000005
【図２】
2018013451.tif 000006
【図３】
2018013451.tif 000007
【図４】
2018013451.tif 000008
【図５】
2018013451.tif 000009
【図６】
2018013451.tif 000010
【図７】
2018013451.tif 000011